Podtech/llm-jp-corpus-v4-ja_patent huggingface dataset:
(57)【要約】【課題】石材同士の結合力を大にして耐震性を増し、接着剤の劣化の影響が殆どない墓外柵を得る。【解決手段】石材１１が重なる接合面１２には穴部１３が穿穴されており、対応する石材の接合面１２’にも同位置に穴部１３’が穿穴されている。  これらの穴部１３は例えば直径３ｃｍ、深さ３ｃｍ程度とされ、これらの穴部１３、１３’間には例えば直径３ｃｍ、長さ５ｃｍ程度の柱状の石継手１４を挿し込むことにより、石材１１同士を接合することができ、必要に応じてこれらの隙間に石材用接着剤を充填する。【選択図】図２
0003102675.tif 000002
【実用新案登録請求の範囲】
【請求項１】
複数のブロック状の石材を組み付けて製作する墓外柵において、前記石材同士の接合面に対向する穴部を形成し、これらの穴部間に石材による石継手を嵌合したことを特徴とする墓外柵。
【請求項２】
前記穴部の断面は円形とし、前記石継手は円柱状としたことを特徴とする請求項１に記載の墓外柵。
【請求項３】
前記石継手の周囲に環状溝を形成したことを特徴とする請求項２に記載の墓外柵。
【請求項４】
前記穴部と石継手間に接着剤を充填したことを特徴とする請求項１に記載の墓外柵。
【請求項５】
前記石継手は前記穴部を穿穴した工具を用いて石材から切り出したことを特徴とする請求項２に記載の墓外柵。
【考案の詳細な説明】
【技術分野】
【０００１】
本考案は、カロートの周囲に配置し、墓石を載置し、更に墓石の周囲を囲む石材製の墓外柵に関するものである。
【背景技術】
【０００２】
従来の外柵は、複数のブロック状の石材を接着剤を用いて接着しながら積み重ねて形成している。
【考案の開示】
【考案が解決しようとする課題】
【０００３】
外柵の組立は一般的に、上述したように石材用接着剤を用いて石材同士を接着しているが、経時的に接着剤が劣化してその接着力が弱まり、強度、耐震性が不足し、石材同士にずれが生ずるなどの不具合がある。
【０００４】
特に、外柵内には土や山砂を入れて表面に玉砂利を敷くために、土、山砂中の水分が冬期には凍結し、外柵部分に凍結による圧力を加え、接着剤が剥れて石材間に隙間が生ずることがある。各種の条件にもよるが、一般には１０年位でこのような現象が見られ、北海道、東北、関東における日陰の墓地ではその傾向が著しい。
【０００５】
また、石材同士の継手として十字状の金具を使用することが特許文献１に開示されている。しかし、この場合は石材の加工が厄介であり、また金属製の継手は石材と熱膨張係数が異なるため、大幅な温度変化があると応力が発生し易く、石材に亀裂等が生ずる虞れがある。
【０００６】
【特許文献１】実用新案登録第３０８０１９２号公報
【０００７】
更に、一方の石材に凸部を設け、他方の石材に凹部を設けた所謂ホゾにより組み合わせることも行われることがあるが、極めて手間がかかる厄介な作業となる。
【０００８】
本考案の目的は、上述の問題点を解消し、石材同士の結合力を大にして耐震性を増し、接着剤の劣化の影響が殆どなく、施工が容易な墓外柵を提供することにある。
【課題を解決するための手段】
【０００９】
上述の目的を達成するための請求項１に係る本考案は、複数のブロック状の石材を組み付けて製作する墓外柵において、前記石材同士の接合面に対向する穴部を形成し、これらの穴部間に石材による石継手を嵌合したことを特徴とするである。
【００１０】
請求項２に係る本考案は、前記穴部の断面は円形とし、前記石継手は円柱状としたことを特徴とする請求項１に記載の墓外柵である。
【００１１】
請求項３に係る本考案は、前記石継手の周囲に環状溝を形成したことを特徴とする請求項２に記載の墓外柵である。
【００１２】
請求項４に係る本考案は、前記穴部と石継手間に接着剤を充填したことを特徴とする請求項１に記載の墓外柵である。
【００１３】
請求項５に係る本考案は、前記石継手は前記穴部を穿穴した工具を用いて石材から切り出したことを特徴とする請求項２に記載の墓外柵である。
【考案の効果】
【００１４】
本考案に係る墓外柵によれば、石材同士の組み付けに石継手を用いることにより、石材同士を確実に接合することができ、耐震性にも優れている。
【００１５】
また、石継手を用いることにより、過大な温度変化があっても石材と熱膨張係数は同じため、石材との間に応力が発生する虞れはない。
【考案を実施するための最良の形態】
【００１６】
以下に、本考案を図示の実施例を基に詳細に説明する。
図１は外柵１の斜視図であり、この外柵１は根石２、羽目石３、敷石４、縁石５などのブロック状に切り出した石材を組み上げることにより製作されている。
【００１７】
図２は一部の石材の組合わせを分解した斜視図であり、石材１１が重なる接合面１２には穴部１３が穿穴されており、対応する石材１１の接合面１２’にも同位置に穴部１３’が穿穴されている。
【００１８】
これらの穴部１３、１３’は例えば直径３ｃｍ、深さ３ｃｍ程度とされ、例えば円筒状の回転カッタ刃を有するホールソーを用いて容易に穿穴することができる。
【００１９】
そして、これらの穴部１３、１３’間に、例えば直径３ｃｍ、長さ５ｃｍ程度の円柱状の石継手１４を嵌合しながら、石材１１同士を接合することができ、必要に応じて、接合面１２、１２’間及び穴部１３、１３’内に石材用接着剤を充填すればよい。
【００２０】
なお、石継手１４は穴部１３、１３’をホールソーにより穿穴したときに得られる円柱状の石材を用いてもよいし、穴部１３、１３’を穿穴したときのホールソーを用いて端石から製作してもよく、これらの方法によれば、穴部１３、１３’と石継手１４の径寸法は一致するので、組付け精度は更に向上する。
【００２１】
また、石継手１４は図３に示すように周囲に環状溝１５を設けると、接着剤がこの環状溝１５内に入り込み、石継手１４が石材１１から抜け出す虞れも少なくなる。
【００２２】
このように、石材１１の接合面１２、１２’の要所要所を石継手１４を用いて接合することにより、石材１１同士のずれや分離を防止することができ、耐久性、強度、耐震性も向上する。
【図面の簡単な説明】
【００２３】
【図１】外柵の斜視図である。
【図２】一部の石材の組合わせを分解した斜視図である。
【図３】石継手の斜視図である。
【符号の説明】
【００２４】
１  外柵
１１  石材
１２  接合面
１３  穴部
１４  石継手
１５  環状溝
【図１】
0003102675.tif 000003
【図２】
0003102675.tif 000004
【図３】
0003102675.tif 000005
(57)【要約】【課題】施錠してある、二輪車及び電動三輪車等の盗難を簡単にしかも確実に防止する。【解決手段】本体を筒状のパイプで構成し、その内側固定物側にネジ穴1aを、反対側に作業用のアンカー工具差込穴１ｂを設けた係留アンカー１を、固定物４にねじ止めし、これにループ鍵５を通して、二輪車および電動三輪車等の車輪に施錠することにより、係留アンカー１の取り外しを不可能にして、施錠してある二輪車、電動三輪車等の盗難を防止する。【選択図】図1
0003102672.tif 000002
【実用新案登録請求の範囲】
【請求項１】
二輪車等の盗難防止のため、ループ鍵を使って係留する、地面または、家屋等の固定物に取り付ける係留アンカーにおいて、ループ鍵を通す本体を筒状のパイプで構成し、その内側から固定物に接する側にネジを取り付けるアンカーネジ穴を設け、反対側にドライバーまたはレンチ等の工具が挿入できる、アンカー工具差込穴または切り欠きを設けたことを特徴とした、二輪車等の盗難防止用係留アンカー。
【考案の詳細な説明】
【技術分野】
【０００１】
本考案は、施錠してある、二輪車、電動三輪車等の盗難を防止する、係留アンカーに関するものである。
【背景技術】
【０００２】
二輪車の盗難件数は現在横ばい状況であるが、検挙率は年々低下しているため、盗難にあえば、戻ってくる可能性も低くなっている。また盗難にあった自転車においては、その約６割は鍵をかけていて盗難にあっており、もはや鍵をかけるだけでは、十分な対策とはいえない。
【０００３】
これは、鍵をかけた二輪車を、そのままトラック等に載せて持ち去り、自宅等に持ち帰り、改めて鍵を壊してしまうという方法である為、通常の鍵をかけただけでは、防ぐことは出来ない。
【０００４】
この対策として固定物にループ鍵を使って二輪車を係留する方法があるが、ループ鍵を通して固定できる物が無い場合、リング状の係留アンカー等を設置するため、コンクリートに大きな穴を開け、係留アンカーを埋め込み、コンクリートを流し込む工事が必要であった。
【特許文献１】特開２０００―４５６０４号公報
【考案の開示】
【考案が解決しようとする課題】
【０００５】
解決しようとする問題は、現在の固定物に対して、ネジ穴を施すだけで、容易に係留アンカーの取り付け、取り外しが出来、また施錠した後には、係留アンカーをはずすことが出来ないようにして、施錠してある二輪車などの盗難を、防止することである。
【課題を解決するための手段】
【０００６】
本考案は、ループ鍵を通す本体を筒状のパイプで構成し、その固定物に接する側にネジを取り付けるためのアンカーネジ穴を設け、反対側にドライバー、レンチ等が入る、アンカー工具差込穴を設け、固定物にネジ止めすることを特徴とする。
【考案の効果】
【０００７】
固定物側にネジ穴を開けることによって、簡単に係留アンカーをネジにより取り付け、取りはずしが出来るが、一旦ループ鍵を係留アンカーに通して施錠した場合には、ループ鍵が邪魔になって、止めてあるネジをはずすことが出来ないため、係留アンカーは外せなくなり、施錠してある二輪車の盗難を防止することが出来る。
【考案を実施するための最良の形態】
【０００８】
施錠してある二輪車ごと持ち去ることを、非常に簡単な構造の係留アンカーを固定物にネジ止めすることで実現できた。
【実施例１】
【０００９】
本考案は図１、図２のように、本体を筒状のパイプで構成し、その本体の固定物側にアンカー取り付け座１ｃ、アンカーネジ穴１aを、反対側にアンカー工具差込穴１ｂを設け、固定物４にネジ止めして固定するようにしている。これにループ鍵５を通し二輪車車輪３を係留することにより、筒状の係留アンカー１の内側のループ鍵本体５が邪魔になり、取付けネジ２を取り外すことが出来なくなり、二輪車等の盗難は不可能となる。また、工具差込穴１ｂは第１０図のように、穴と穴がつながった長穴でも、第１１図のようにアンカーの端からの切り欠きにしても問題ない。
【００１０】
図４は第２の実施例を示しており、断面が４角のパイプで作られており、単純で取り付け部が安定した形状である。
【００１１】
図６は第３の実施例を示しており、断面の上側が半丸で下側が４角の異形のパイプで作られており、足などが引っ掛かりにくく、また取り付け部が安定した形状となっている。
【００１２】
第8図は第４の実施例を示しており、実施例３をプレス加工して製作できる形状にしており、大量生産向きで、最も安く出来る形状となっている。
【産業上の利用可能性】
【００１３】
本考案はコンクリートの駐車場、壁、塀、通路、家屋、等の固定物に容易に取り付け可能であり、また係留するものも、二輪車、電動三輪車のほかに、金庫などいろいろな物にも、適用できる。
【図面の簡単な説明】
【００１４】
【図１】本考案の係留アンカーを設置して、側面から見た説明図である。
【図２】本考案の係留アンカーを説明した斜視図である。（実施例１）
【図３】図２のＡ−Ａ断面図である。
【図４】本考案の別の実施例を示す斜視図である。（実施例２）
【図５】図４のＢ−Ｂ断面図である。
【図６】本考案の別の実施例を示す斜視図である。（実施例３）
【図７】図６のＣ−Ｃ断面図である。
【図８】本考案の別の実施例を示す斜視図である。（実施例４）
【図９】図８のＤ−Ｄ断面図である。
【図１０】本考案の工具差込穴を長穴にした形状を示す。（実施例５）
【図１１】本考案の工具差込穴を切り欠きにした形状を示す。（実施例６）
【符号の説明】
【００１５】
１    係留アンカー
１a  アンカーネジ穴
１b  アンカー工具差込穴
１ｃ  アンカー取り付け座
２    取り付けネジ
３    二輪車車輪
４    固定物
５    ループ鍵
【図１】
0003102672.tif 000003
【図２】
0003102672.tif 000004
【図３】
0003102672.tif 000005
【図４】
0003102672.tif 000006
【図５】
0003102672.tif 000007
【図６】
0003102672.tif 000008
【図７】
0003102672.tif 000009
【図８】
0003102672.tif 000010
【図９】
0003102672.tif 000011
【図１０】
0003102672.tif 000012
【図１１】
0003102672.tif 000013
(57)【要約】【課題】  重量の軽減を可能にするＬ型擁壁を提供する。【解決手段】  底版（１０）及び前壁（２０）が、それぞれ部分的に肉厚を減少させる複数の孔（１１，１２；２１，２２）を備える。【選択図】        図１ 
0003102676.tif 000002
【実用新案登録請求の範囲】
【請求項１】
底版（１０）及び前壁（２０）から成るプレキャストコンクリート製品のＬ型擁壁（１）において、
底版（１０）及び前壁（２０）が、それぞれ部分的に肉厚を減少させる複数の孔（１１，１２；２１，２２）を備えることを特徴とするＬ型擁壁。
【請求項２】
孔（１１，１２；２１，２２）が、擁壁長手方向に平行に延在する孔（１１，２１）であるか、又は擁壁長手方向に対して垂直に延在する孔（１２，２２）であることを特徴とする請求項１に記載のＬ型擁壁。
【考案の詳細な説明】
【技術分野】
【０００１】
本考案は、底版及び前壁から成るプレキャストコンクリート製品のＬ型擁壁に関する。
【背景技術】
【０００２】
Ｌ型擁壁は、道路及び土地の造成等において土留をするために広く使用されている。これは、このＬ型擁壁がプレキャストコンクリート製品であるために得られる、製品の品質保証、経費削減、及び環境保護等における利点によるものである。
【０００３】
Ｌ型擁壁の場合、構築にあたっての力学上の安定性を考慮すれば、擁壁高さを任意に選択したＬ型擁壁の製作は可能であるが、運搬に際しては、製品の重量及び寸法等において制約を受ける。
【０００４】
特許文献１からは、垂直方向に延在する複数の大きな長方形の貫通孔を前壁に備えるＬ型擁壁が公知である。この貫通孔は、本来、植栽のためのものであり、重量軽減を目的とするものではない。
【特許文献１】実開平６−３８４５９号公報
【考案の開示】
【考案が解決しようとする課題】
【０００５】
本考案の課題は、重量の軽減を可能にするＬ型擁壁を提供することにある。
【課題を解決するための手段】
【０００６】
この課題は、本考案においては、底版及び前壁が、それぞれ部分的に肉厚を減少させる複数の孔を備えることによって解決される。
【０００７】
この場合、底版及び前壁に形成される孔は、擁壁長手方向に平行に延在するか、又は擁壁長手方向に対して垂直に延在する。これらの孔は、底版及び前壁でその延在する方向を一致させる必要はない。
【考案の効果】
【０００８】
本考案により、重量の軽減を可能にするＬ型擁壁が得られる。
【考案を実施するための最良の形態】
【０００９】
本考案の実施例を、以下で、図面を基にして詳細に説明する。
図１は、擁壁長手方向に対して垂直な方向から見た、即ち底版と前壁とがＬ字を構成する方向から見た、本考案によるＬ型擁壁の第１の実施例を示す。Ｌ型擁壁１は、底版１０と前壁２０とから成る。軽量化のため、底版１０及び前壁２０は、それぞれ部分的に肉厚を減少させる複数の孔１１及び２１を備える。貫通孔であるこれらの孔１１，２１は、それぞれ長手方向に延在し、底版１０と前壁２０が構成するＬ字の各辺に沿って間隔を置いて配列されている。
【００１０】
孔１１及び２１は、肉厚に応じた大きさの変更も、円形、長円形、多角形等の形の採用も、２列又は３列の、更には千鳥格子状の配列も可能であるが、この実施例では、重量計算及び製作の容易化のための、一定の大きさの円を単純に配列した例を示す。孔の形状、大きさ及び配列数並びにこれらの組合せ等を含めた配列の仕方は、目標とする削減重量から適宜決定することができる。
【００１１】
図２は、本考案によるＬ型擁壁の第２の実施例を三面図で示す。但し、平面図及び側面図については、それぞれ、前壁の端部及び底版の端部だけを拡大して示す。この実施例では、軽量化のための底版１０及び前壁２０のための孔１２，２２は、それぞれ長手方向に２列及び１列に配列され、底版１０と前壁２０が構成するＬ字の各辺に沿って延在する。
【００１２】
これらの孔１２又は２２のいずれか一方は、貫通孔とすることはできないが、例えば、前壁の孔を、第１の実施例の孔２１にするなどして両方とも貫通孔としても良い。
【図面の簡単な説明】
【００１３】
【図１】本考案によるＬ型擁壁の第１の実施例を概略的に示す。
【図２】本考案によるＬ型擁壁の第２の実施例を概略的に示す。
【符号の説明】
【００１４】
１            Ｌ型擁壁
１０          底版
２０          前壁
１１，１２    孔
２１，２２    孔
【図１】
0003102676.tif 000003
【図２】
0003102676.tif 000004
(57)【要約】【課題】  簡易に調整できる亜鈴を提供する。【解決手段】  ロッド及び少なくとも一つのおもり３１を含み、ロッドは少なくとも一つの突出柱がある。プラグはスライド可能に突出柱に配置され、一つ以上のおもり３１を選択してロッドにセットする。使用するとき、スプリングでスリーブを柱体の一つの嵌め込み溝に押し入れることにより、予定数量のおもり３１をロッドにセットさせ、ロッドと一緒に基部１０から持ち離す。【選択図】    図１
0003102678.tif 000002
【実用新案登録請求の範囲】
【請求項１】
亜鈴において、ロッド（４０）及び少なくとも一つのおもり（３１）を有し、ロッド（４０）は少なくとも一つの突出柱（４３）があり、
プラグ（４７）はスライド可能に突出柱（４３）に配置され、一つ以上のおもり（３１）を選択してロッド（４０）にセット可能であることを特徴とする亜鈴。
【請求項２】
柱体（６０）は、ロッド（４０）にセットされ、その一端に少なくとも一つの嵌め込み溝（６１）が設置され、おもり（２０）を収容可能であり、柱体（６０）にはガイド溝（６３）があり、移動ロッド（７０）がプラグ（４７）にセットされ、柱体（６０）のガイド溝（６３）で移動可能であることを特徴とする請求項１記載の亜鈴。
【考案の詳細な説明】
【技術分野】
【０００１】
本考案は、亜鈴に関するものである。
【背景技術】
【０００２】
本考案の提案者は、特許文献１に開示する亜鈴について考案している。
【０００３】
【特許文献１】実用新案登録第３０９６３６３号明細書
【考案の開示】
【考案が解決しようとする課題】
【０００４】
しかし、その調整が依然として困難だと感じるので、それを改善しなければならない。
したがって、本考案の主な目的は、簡易に調整できる亜鈴を提供することにある。
【課題を解決するための手段】
【０００５】
本考案は、主に、ロッド及び少なくとも一つのおもりを含み、ロッドは少なくとも一つの突出柱があり、プラグはスライドできるように突出柱に配置され、一つ以上のおもりを選択してロッドにセットするということを特徴とする。
【考案を実施するための最良の形態】
【０００６】
本考案のほかの目的、利点及び新規特性などをご了解していただくために、以下、さらに具体的な実施例を図面にあわせて詳しく説明してみよう。
図１から図４を御覧下さい。本考案の一実施例による亜鈴は、主に、基部１０を含む。一方、二つ突出壁１２の間に、空間１１が設けられる。各突出壁１２はそれぞれ多数の凹槽１４がある。また、複数のおもり３１は基部１０の凹槽１４に収容される。各おもり３１はそれぞれ凹溝３２及びシュート３４を具有する。シュート３４の広さは凹溝３２の広さより少し大きい。凹溝３２はそれぞれ一つの開口３３を持つ。ロッド４０の一端又は両端４１にそれぞれ止め板４２及び突出柱４３が配置される。環状溝４５は止め板４２と突出柱４３との間に形成される。
【０００７】
二つ筒状のプラグ４７はスライドできるように突出柱４３に設置され、一つ又は複数のおもり３１に嵌め込まれることが出来、しかも、環状溝４５に嵌め込まれる。二つのブロック５０は突出柱４３に設置され、しかも、ロッド４０又は止め板４２にセットされる。それらはそれぞれ二つの凹穴５４及び一つのロックキー５５がある。二つの柱体６０の一端を凹穴５４に入れて、もう一端をサイドカバー６５でロッド４０の突出柱４３にセットする。各柱体６０はそれぞれ多数の嵌め込み溝６１を具有し、凸肋６２から構成され、おもり３１を嵌め込む。ロッド４０の両端は、それぞれ柱体６０を持ち、ガイド溝６３がある。
【０００８】
移動ロッド７０はスライドできるようにガイド溝６３に嵌め込まれ、しかも、プラグ４７にセットされる。プラグ４７を移動して、一つ又は一つ以上のおもり３１の中に嵌め込む。スリーブ７２は活動できるように移動ロッド７０に設置され、スプリング７３の弾力で柱体６０の嵌め込み溝６１に押し入れられる。よって、おもり３１をプラグ４７及びロッド４０にセットする。
【０００９】
使用のときに、図３から図６をご参照して下さい。プラグ４７を移動させ、一つ又は複数のおもり３１のシュート３４に嵌め込む。そうして、一つ又は複数のおもり３１をロッド４０にセットする。スリーブ７２を経由して、移動ロッド７０は柱体６０のガイド溝６３の中で移動できるので、プラグ４７はいくつのおもり３１を嵌め込むかどうかを選択できる。スプリング７３でスリーブ７２を柱体６０の一つの嵌め込み溝６１に押し入れることにより、予定数量のおもり３１をロッド４０にセットさせ、ロッド４０と一緒に基部１０から持ち離す。
【図面の簡単な説明】
【００１０】
【図１】本考案の一実施例による亜鈴を示す斜視図である。
【図２】本考案の一実施例による亜鈴を示す分解斜視図である。
【図３】本考案の一実施例による亜鈴の局部を示す分解斜視図である。
【図４】本考案の一実施例による亜鈴を示す側面図である。
【図５】本考案の一実施例による亜鈴を示す模式図である。
【図６】本考案の一実施例による亜鈴を示す模式図である。
【符号の説明】
【００１１】
１０  基部、１１  空間、１２  突出壁、１４  凹槽、３１  おもり、３２  凹溝、３３  開口、３４  シュート、４０  ロッド、４１  両端、４２  止め板、４３  突出柱、４５  環状溝、４７  プラグ、５０  ブロック、５４  凹穴、５５  ロックキー、６０  柱体、６１  嵌め込み溝、６２  凸肋、６３  ガイド溝、７０  移動ロッド、７２  スリーブ、７３  スプリング
【図１】
0003102678.tif 000003
【図２】
0003102678.tif 000004
【図３】
0003102678.tif 000005
【図４】
0003102678.tif 000006
【図５】
0003102678.tif 000007
【図６】
0003102678.tif 000008
(57)【要約】【課題】  小さな火炎をも感知し、容易な監視作業が可能である火炎感知器を安価に提供する。【解決手段】  任意の波長帯の赤外線を透過させる赤外線フィルタを備え、前記赤外線フィルタを透して受像した画像を、画像データとして出力するＣＣＤカメラ部と、上記ＣＣＤカメラ部より入力した画像データについて、予め設定した波長以上の画素と、その波長以下の画素とに分類する二値化処理をした後、それぞれ異なる色画素に変換して、色データとして出力する二値化処理部と、前記二値化処理部より入力した色データを画面に表示する画面表示部を備える火炎検知器である。【選択図】      図１
0003102604.tif 000002
【実用新案登録請求の範囲】
【請求項１】
任意の波長帯の赤外線を透過させる赤外線フィルタを備え、前記赤外線フィルタを透して受像した画像を、画像データとして出力するＣＣＤカメラ部と、
上記ＣＣＤカメラ部より入力した画像データについて、予め設定した波長以上の画素と、その波長以下の画素とに分類する二値化処理をした後、それぞれ異なる色画素に変換して、色データとして出力する二値化処理部と、
前記二値化処理部より入力した色データを画面に表示する画面表示部を備える
ことを特徴とする火炎検知器。
【考案の詳細な説明】
【技術分野】
【０００１】
本考案は、火炎検知器に関するものである。
【背景技術】
【０００２】
従来、火炎の発生を検知する火炎検知器として、赤外線カメラで受像したものをモニタで表示し、チェックを行うというものがあった。しかし、このような検知器では炎以外の画像もモニタに表示されてしまう為、監視作業の効率が悪く、炎の発生のみを効率よく検知するという点において不都合があった。特に火炎部分が煙草や線香などの微小な火種である場合は、モニタをチェックすることによる発見は非常に困難であった。
【０００３】
また、その他の火炎検知器としてサーモグラフィーを利用するものもあった。しかし、サーモグラフィーは非常に高価な機器であるため、火炎検知器として導入するには、費用がかかりすぎるといった欠点があった。
【考案の開示】
【考案が解決しようとする課題】
【０００４】
このような不都合を解決するため、本願考案は、小さな火炎をも感知し、容易な監視作業が可能である火炎感知器を安価に提供することを目的とする。
【課題を解決するための手段】
【０００５】
上記目的を達成するために、請求項１の考案は任意の波長帯の赤外線を透過させる赤外線フィルタを備え、前記赤外線フィルタを透して受像した画像を、画像データとして出力するＣＣＤカメラ部と、上記ＣＣＤカメラ部より入力した画像データについて、予め設定した波長以上の画素と、その波長以下の画素とに分類する二値化処理をした後、それぞれ異なる色画素に変換して、色データとして出力する二値化処理部と、前記二値化処理部より入力した色データを画面に表示する画面表示部を備えることを特徴とする火炎検知器を提供する。
【考案の効果】
【０００６】
上記した本考案によれば、受像した画像のうち高温である場所のみがモニタに表示されるため、監視が容易な火炎検知器を提供することが可能である。また、一単位画素からの判別が可能であるため、非常に小さな熱源を検知することが可能である。さらに、従来のサーモグラフィー式の炎検知器に比べて安価に構成可能である。
【考案を実施するための最良の形態】
【０００７】
以下、本考案の火炎検知器について、図示例と共に説明する。
【０００８】
図１は本考案による火炎検知器の実施の形態を示す概略的な構成図である。
【０００９】
火炎検知器１は、赤外線フィルタ２を備えたＣＣＤカメラ３と、二値化処理部４と、モニタ部５とからなる。ＣＣＤカメラ３と二値化処理部４、および二値化処理部４とモニタ部５はそれぞれ接続用ケーブルによって接続されている。
【００１０】
本考案における火炎検知器の構成を、実施例に基づいて説明する。
本実施例では、図１に示されている通り、火のついた煙草を受像することで火の発生を検知する処理を行うとする。
火のついた煙草の画像は、赤外線フィルタ２において任意の波長帯の赤外線のみが透過した後、ＣＣＤカメラ３によって受像される。この段階での画像は、火のついた部分以外も表示されているものとなる。火のついた部分以外からも赤外線フィルタ２を透過する赤外線が放射されており、ＣＣＤカメラ３はそのような部分も認識してしまうからである。
【００１１】
上記の通りＣＣＤカメラ３で受像した画像は、画像データとして二値化処理部４に入力される。
ＣＣＤカメラ３からの画像データは、二値化処理部４において微小な画素ごとに認識される（図２（ａ））。そして波長について一定のしきい値を設定し、各セルの中でしきい値以上の波長を有する画素と、しきい値以下の波長を有する画素に分類される。本実施例においては、煙草の火がついてる部分とそれ以外の部分に分類される。
【００１２】
そして二値に分類された画素は、それぞれ定められた色の画素データに変換される。本実施例では、しきい値以上の波長を有する画素は白色の画素データに、しきい値以下の波長を有する画素は黒色の画素データに変換される。これらの色の設定は適宜変更可能であるが、二つの画素データの分別を容易に行うためにも、対照色であることが望ましい。
このように画素データに変換された画素データは、その画素の画像上の位置データと共にモニタ部５に出力される。
【００１３】
二値化処理部４より入力された画素データは、共に入力された位置データに基づいてモニタ５上に表示される。実施例においては、煙草で火がついている部分が白色で表示され、それ以外の範囲が黒色で表示されている（図２（ｂ））。このように火炎部分とそれ以外の部分が対照色で表示されるため、監視が非常に容易なものとなる。
また、本実施例では画素数を少なくしたが、画素数を多く取ることで多くの画素においての波長分類が可能となるため、微小な火炎の検出も可能となる。
【００１４】
本考案の火炎検知器は、例えばガソリンスタンドや博物館などの火気厳禁場所に設置される。その他にも、実験室や製造工場における火炎検知器としての使用が可能である。
【００１５】
さらに、二値処理部４において火炎と思われる画素を発見することにより、所定の制御を行う構成にしてもよい。例えば二値処理部４にサイレンや回転灯を接続し、火炎と思われる画素を発見することでサイレンや回転灯に信号を送り、これらを作動させる構成とすることが考えられる。
【図面の簡単な説明】
【００１６】
【図１】本考案を実施する形態の一例を示す斜視図である。
【図２】本考案において、各処理段階での画像データを示すイメージ図である。
【符号の説明】
【００１７】
１  火炎検知器
３  ＣＣＤカメラ
４  二値処理部
５  モニタ部
【図１】
0003102604.tif 000003
【図２】
0003102604.tif 000004
(57)【要約】      （修正有）【課題】頭に圧力センサーを取り付けたヘアバンドを巻き、噛むときにこめかみの筋肉が動く振動を感知し、ヘアバンドや胸ポケット、腰のベルトに取り付けたり、机上に置いたカウントメーターで解析するという簡単な方法で、噛む回数をカウントするヘアバンド式チューイングメータの提供。【解決手段】マジックテープで長さを調節できるようにした伸縮性のあるヘアバンド２を頭に巻き、これに圧力センサー３を取り付け、噛むときにこめかみの筋肉が動く位置に合わせ、ヘアバンドか胸ポケット４又は腰のベルト５に差し込んだり、机上に置いたカウントメーター６とコード７で結び、こめかみの振動を解析して噛む回数を測定・表示する。【選択図】図1
0003102647.tif 000002
【実用新案登録請求の範囲】
圧力センサーを取り付けたヘアバンドを頭に巻き、食事でものを噛んだ際にこめかみの筋肉が動く振動を感知し、その振動をヘアバンドか胸ポケット又は腰ベルトなどに付けたり、机上に置いたカウントメーターで解析して噛む回数を計測・表示するヘアバンド式チューイングメーター。
【考案の詳細な説明】
【考案の詳細な説明】
〔考案の属する技術分野〕
【０００１】  この考案は、頭に巻いたヘアバンドに圧力センサーを装着して食事の際に噛んだ時にこめかみの筋肉が動く振動を感知し、ヘアバンドか胸ポケット又は腰ベルトなどに付けたり、机上に置いたカウントメーターで解析して噛む回数を計測・表示する小型電子機器である。
〔従来の技術〕
【０００２】  これまで、噛む回数をカウントするには、本人が食事をしながら噛む回数を数えたり、ビデオで被験者を撮影し、映像を観察して噛む回数をカウントしていた。
噛む回数を直接数えるのは煩わしくてミスも多く、ビデオ撮影は大がかりな調査になる、という問題があった。
〔考案が解決しようとする課題点〕
【０００３】  本考案は、その欠点を除いて、頭に圧力センサーを取り付けたヘアバンドを巻いてこめかみの筋肉の動きを感知し、ヘアバンドか胸ポケット又は腰のベルトなどにカウントメーターを装着したり、机上に置いて回数を解析するという簡単な方法で、噛む回数を計測・表示しようとするものである。
〔課題を解決するための手段〕
【０００４】  その解決手段を図面で説明すると、マジックテープ１で長さを調節して頭に取り付けることができるようにした伸縮性のあるヘアバンド２に圧力センサー３を取り付け、ヘアバンド１か胸ポケット４又は腰のベルト５に装着したり、机上に置いたカウントメーター６とコード７で結び、噛むときにこめかみの筋肉が動く振動を解析して噛む回数を測定・表示するものである。
〔考案の実施の形態〕
【０００５】  使用する時には、頭に圧力センサーを付けたヘアバンドを巻き、カウントメーターをヘアバンドか利用者の胸ポケット又は腰のベルトなどに装着したり、机上に置いて、噛む時に生じるこめかみの振動を採取して噛む回数をカウントする。
〔実施例〕
【０００６】  このチューイングメーターは、歯科医師や保健師、栄養士が食事指導を行う際に対象者に貸し付けたり、学校給食などで一斉に子どもが食事で噛む回数を測定したり、家庭で噛む回数を測定し、献立改善などに役立てる。また、ガムメーカーなどの食品会社が噛む回数を測定し、表示して商品をアピールする際に役立てることができる。
〔考案の効果〕
【０００７】  本考案により、学校や老人介護施設の食事などの際に一斉に食事で噛む回数を測定したり、家庭での食事で噛む回数を測定し、噛む回数の多い食事習慣を確立し、顎や歯を鍛え、歯並びを整え、知能の発達をよくし、肥満防止やぼけ防止に役立てるものである。また、噛む回数の多い食品開発に役立てることができる。
【図面の簡単な説明】
【図１】本考案の装着図
【図２】本考案の斜視図
【符号の説明】
１  マジックテープ
２  ヘアバンド
３  圧力センサー
４  胸ポケット
５  腰のベルト
６  カウントメーター
７  コード
【図１】
0003102647.tif 000003
【図２】
0003102647.tif 000004
(57)【要約】【課題】難聴者の両耳に集音具をとりつける場合に、集音効果の上がる構造にする。また両耳にとりつけた集音具を目立たなくする。【解決手段】一対の集音具を、２本の弾性を有するひもあるいは帯により連結し、ひもあるいは帯のうち１本を頭部にかけ、他の１本をあご部にかけることにより、集音具が側頭部に密着して集音効果が向上する。  またひもあるいは帯は、周辺の環境に近似した色にしておけば目立たなくなる。【選択図】図２
0003102648.tif 000002
【実用新案登録請求の範囲】
【請求項１】
音を反射する材料を用いて、その内面を放物線回転面あるいは楕円回転面に形づくり、回転面の軸線を顔の前方に向け、回転面の軸線に平行な平面で回転面を切断した座をつけ、座に耳たぶをくぐらせる孔と音を通す孔とを設け、耳たぶを覆い側頭部にとりつける集音具において、一対の集音具を２本の弾性を有するひもあるいは帯により連結し、とりつける際に２本のひもあるいは帯の１本を頭部にかけ、他の１本をあごにかける集音具。
【請求項２】
一対の集音具を両耳にとりつける際に、弾性を有する２本のひもあるいは帯のうち、頭部にかける１本を頭部の色彩に近似した色にし、あご部にかける１本をあご部の色彩に近似した色とする請求項１の集音具。
【考案の詳細な説明】
【技術分野】
【０００１】      この考案の考案者は、２００２年６月に集音具に関する発明をし特許出願（特願２００２−２９０４６２）をしたが、その後集音具の構造について考案をした。以下にその詳細を説明する。
【課題】
【０００２】      この考案による集音具をとりつける際に、集音効果を向上するとりつけ方法がないか、とりつけても目立たない方法がないか、と言うのが課題である。
【課題を解決するための手段】
【０００３】      上記発明の集音具は、一対の集音具を両耳にとりつけて使用することが多いが、その際一対の集音具を２本の弾性を有するひも或いは帯によって連結し、２本の弾性を有するひもあるいは帯のうち、１本を頭部にかけ、他の１本をあごにかけて使用することが便利であることに気がついた。両耳にかける集音具が弾性を有するひもあるいは帯により、側頭部に密着することによって集音効果が向上する。
【０００４】      集音具は透明あるいは半透明のプラスチックにより製造して、目立たないようにできることは特許出願の際にも述べた。
【０００５】      弾性を有するひもあるいは帯の色彩は、頭部にかける１本は頭部の色彩に近似した色にし、あごにかける他の１本はあご部の色彩に近似した色にすると、目立たないようにすることができる。
【０００６】      図面について説明すると、図１は一対の集音具１を２本の弾性を有するひもあるいは帯２および３により連結した構造を示す。
図２は２本の弾性を有するひもあるいは帯のうち、１本２を頭部にかけ、他の１本３はあご部にかけた構造を示す。
【図面の簡単な説明】
【０００７】
【図１】一対の集音具を２本のひもあるいは帯によって連結した構造を示す斜視図である。
【図２】２本のひもあるいは帯の、１本は頭部にかけ、他の１本はあご部にかけた構造を示す斜視図である。
【符号の説明】
【０００８】１    集音具
２    弾性を有するひもあるいは帯のうち頭部にかけるもの。
３    弾性を有するひもあるいは帯のうちあご部にかけるもの。
【図１】
0003102648.tif 000003
【図２】
0003102648.tif 000004
(57)【要約】【課題】宝飾品に照明光を照射して演出効果を高めることができる宝飾品ケースを提供することを課題とする。【解決手段】蓋７を開けるとスイッチ６がオンし、電池５から光源３に電源が供給され、光源３から照明光が発せられる。この照明光は中底２を透過し、中底２の上に置かれた宝飾品１０を照明する。【選択図】図１
0003102645.tif 000002
【実用新案登録請求の範囲】
【請求項１】
ケース本体と、
ケース本体に開閉自在に取り付けられた蓋と、
ケース本体内に取り付けられると共にその上部に宝飾品が置かれる中底と、
中底の上に置かれた宝飾品に照明光を照射する光源と、
光源に電源供給するための電源と、
光源と電源との間に電気的に接続されると共に蓋を開いたときにオンして光源から照明光を照射させ且つ蓋を閉じたときにオフして電源から光源への電源供給を停止させるスイッチと
を備えたことを特徴とする宝飾品ケース。
【請求項２】
中底は照明光を透過する材料からなり、光源はケース本体内で且つ中底の下側に配置された請求項１に記載の宝飾品ケース。
【請求項３】
光源はケース本体内で且つ中底の上側あるいは蓋の内側に配置された請求項１に記載の宝飾品ケース。
【請求項４】
中底は照明光を透過する材料からなり、光源はケース本体内で且つ中底の下側に配置された第１の光源とケース本体内で且つ中底の上側あるいは蓋の内側に配置された第２の光源とからなる請求項１に記載の宝飾品ケース。
【考案の詳細な説明】
【技術分野】
【０００１】  この考案は、贈与品等として使用される宝飾品の演出効果を高めることを目的とする宝飾品ケースの構造に関する。
【背景技術】
【０００２】  従来の宝飾品ケースの演出方法には、ケースの外形やケース内部の意匠、あるいは蓋を開けると音楽を奏でるといったものがある。
【考案の開示】
【考案が解決しようとする課題】
【０００３】  宝飾品は、光を反射することによりきらきら輝いて美しく見えるものが多く、また宝飾品等を人に贈る場合には、夜間や間接照明等による低照度の飲食店など、明るくない状況が多いことなどから、宝飾品ケースに光源を持つことは宝飾品を演出する上で効果的である。
そこで、この考案は、宝飾品に照明光を照射して演出効果を高めることができる宝飾品ケースを提供することを目的としている。
【課題を解決するための手段】
【０００４】  この考案に係る宝飾品ケースは、ケース本体と、ケース本体に開閉自在に取り付けられた蓋と、ケース本体内に取り付けられると共にその上部に宝飾品が置かれる中底と、中底の上に置かれた宝飾品に照明光を照射する光源と、光源に電源供給するための電源と、光源と電源との間に電気的に接続されると共に蓋を開いたときにオンして光源から照明光を照射させ且つ蓋を閉じたときにオフして電源から光源への電源供給を停止させるスイッチとを備えたものである。
蓋を開いたときにスイッチがオンして光源から宝飾品に照明光が照射され、これにより宝飾品の演出効果が高まる。【０００５】  なお、照明光を透過する材料から中底を形成し、光源をケース本体内で且つ中底の下側に配置して宝飾品を下方から照明することができる。
または、光源をケース本体内で且つ中底の上側あるいは蓋の内側に配置して宝飾品を上方から照明することもできる。
さらに、照明光を透過する材料から中底を形成し、光源としてケース本体内で且つ中底の下側に配置された第１の光源とケース本体内で且つ中底の上側あるいは蓋の内側に配置された第２の光源とを用い、宝飾品を上下双方から照明してもよい。
なお、ケース本体及び蓋は、樹脂あるいはガラスあるいは金属から形成することが好ましい。
【考案の効果】
【０００６】  以上説明したように、この考案に係る宝飾品ケースは、蓋を開いたときに光源によって宝飾品を照明するので、宝飾品の演出効果を高めることができる。
【考案を実施するための最良の形態】
【０００７】  添付図面を参照してこの考案の実施の形態について説明する。
実施の形態に係る宝飾品ケースは、図１及び２に示されるように、上部が開放されたケース本体１を有し、ケース本体１の内部に透光性を有する中底２が配置されると共に中底２の下側に光源３が配置されている。ケース本体１の底部外面に形成された凹部に電源となる電池５が収容され、電池蓋９により覆われている。中底２にはスイッチ６が取り付けられ、またケース本体１の上部には蓋７が蝶番８によって開閉自在に取り付けられている。スイッチ６は光源３と電池５との間に電気的に接続されると共に蓋７の開閉に応じてオン／オフし、蓋７を開けるとスイッチ６がオンして、電池５から光源３に電源が供給され、光源３から照明光が発せられる。この照明光は中底２を透過し、図３に示されるように、中底２の上に置かれた宝飾品１０を照明する。【０００８】  蓋７を閉じるとスイッチ６がオフし、電池５から光源３への電源供給が停止されて光源３が消灯する。
なお、中底２は、樹脂あるいはガラス等の透明あるいは半透明の材料から形成することが好ましい。【０００９】  なお、中底２の下側に光源３を配置する代わりに、図４に示されるように、蓋７の内側に光源４を配置し、図５に示されるように、宝飾品１０に上方から照明光を照射してもよい。この場合、中底２は照明光に対して不透明の材料から形成してもよい。
また、図６に示されるように、中底２の下側に光源３を配置すると共に蓋７の内側にも光源４を配置し、蓋７を開けたときに宝飾品１０を上下双方から照明するようにしてもよい。【００１０】  なお、スイッチ６を中底２に取り付けずに、蓋７に取り付ける、あるいは蝶番８に組み込むこともできる。【００１１】  なお、ケース本体１及び蓋７は、樹脂あるいはガラスあるいは金属から形成され、透明、半透明、不透明のいずれでも効果的な演出を行うことができる。【００１２】  この考案は、図７に示されるように、ネックレス等の比較的大きな宝飾品を収容する宝飾品ケースにも適用することができる。
【図面の簡単な説明】
【００１３】
【図１】この考案の実施の形態に係る宝飾品ケースを示す断面図である。
【図２】この考案の実施の形態に係る宝飾品ケースを示す上面図である。
【図３】この考案の実施の形態に係る宝飾品ケースを示す斜視図である。
【図４】変形例に係る宝飾品ケースを示す断面図である。
【図５】変形例に係る宝飾品ケースを示す斜視図である。
【図６】他の変形例に係る宝飾品ケースを示す断面図である。
【図７】ネックレス等比較的大きな宝飾品を収容する宝飾品ケースに適用した状態を示す斜視図である。
【符号の説明】
【００１４】  １  ケース本体、２  中底、３，４  光源、５  電池、６  スイッチ、７  蓋、８  蝶番、９  電源蓋、１０  宝飾品。
【図１】
0003102645.tif 000003
【図２】
0003102645.tif 000004
【図３】
0003102645.tif 000005
【図４】
0003102645.tif 000006
【図５】
0003102645.tif 000007
【図６】
0003102645.tif 000008
【図７】
0003102645.tif 000009
(57)【要約】      （修正有）【課題】本考案は、従来より行われていた手作り絵本の制作が技術的に難しく時間のかかるものであるので、これを短時間に誰にでもできるような簡易な方法で制作できる手作り絵本の材料としての台紙を提供するものである。【解決手段】２つ折りした画用紙の裏側片面に縦中央に切れ目を入れた剥離紙１付き粘着材を塗布した画用紙と、表表紙５・背表紙６・裏表紙７を構成する一枚の厚紙を容易に見開きできるようあらかじめ折り曲げ、剥離紙付き粘着材を塗布した厚紙とからなる手作り絵本材料を提供することにより、誰でも、容易に、短時間に絵本を制作することができる。【選択図】図１
0003102643.tif 000002
【実用新案登録請求の範囲】
【請求項１】
２つ折りにし、その裏面片側に剥離紙付き粘着材を塗布した画用紙と、当該画用紙を複数枚貼り合わせ作成した絵本本体に貼り付けて表紙とする剥離紙付き粘着材を塗布した厚紙で、表表紙・背表紙・裏表紙・表表紙見開き用折り目・裏表紙見開き用折り目を付けた表紙用厚紙とからなる手作り絵本制作用材料。
【考案の詳細な説明】
【技術分野】
【０００１】本考案は２つ折りにした複数枚の画用紙を貼り合わせ、厚表紙をつけ容易に絵本として成形し、簡易製本によってできる手作り絵本制作用の台紙に関する。
【背景技術】
【０００２】手作り絵本を制作する場合、一般的には、画用紙に絵を描き、それをストーリー順に並べ、画面を内側にして２つ折りにし、帖合とり、つき揃え、背固め、本文糊入れ、表紙くるみ、背つけ、丸１日のプレス、その後、天・地・小口を断裁し製本を完成させていた。【０００３】糊つけのため、圧着・乾燥が必要であり、更に、圧着のためはみ出した糊が画用紙どうしに固着するため、乾燥後、本体の天・地・小口を裁断する必要があった。【０００４】糊つけ・背つけ・裁断に技術・熟練を要し、更に、糊の乾燥に丸１日と時間を要していたので、その一般的普及を困難にしていた。
【考案の開示】
【考案が解決しようとする課題】
【０００５】本考案は、上記従来の技術的・時間的問題点を解決するためになされたものであって、簡便な手段による簡易製本によっても、体裁のよい外観を備え、しかも開きの良い手作り絵本を実現する台紙のセットを提供することを目的とするものである。
【課題を解決するための手段】
【０００６】本考案は、裏面に剥離紙の付いた粘着材を塗布した複数枚の絵本本体となる画用紙と、背と開き部分に折り目をつけた表表紙・背表紙・裏表紙一体となった表紙となる厚紙をセットで提供することにより上記問題を解決した。なお、表表紙・裏表紙となる厚紙の内側部分にも剥離紙の付いた粘着材が塗布してある。【０００７】絵本本体となる画用紙は、２つ折りにし、画用紙の裏面片側に剥離紙付き粘着材を塗布する。なお、剥離紙は縦に２分の１ずつ分離可能としておく。
表紙となる厚紙は、提供する絵本本体の厚さに応じあらかじめ表表紙・背表紙・裏表紙部分に分割できるように折り目を入れるとともに、表紙の開閉のため、表表紙・裏表紙とも背側から背の厚さの２分の１の幅で縦に折り目を入れる。
そして、絵本本体を表紙に貼り合わせるため、表表紙・裏表紙ともその内側に剥離紙付き粘着材を塗布する。なお、その剥離紙は縦に２分の１ずつ分離可能としておくとともに、表表紙と裏表紙の折り目より背側には粘着材を塗布しない。
【考案の効果】
【０００８】上記の絵本本体となる画用紙と表紙となる厚紙をセットで提供することにより、絵本制作者は、自身が絵を描いた当該画用紙と表紙となる当該厚紙とで、剥離紙を剥がし圧着するだけで容易に製本が可能となり、天・地・小口の裁断の必要がなく短時間で体裁の良い又開きの良い絵本の制作が誰にでもできるという優れた効果を有する。
【実施例】
【０００９】絵本制作者は図２に示す剥離紙付き粘着材を塗布した画用紙に絵本となる絵を描き、文章を入れその複数枚を順次貼り合わせることにより図３のような絵本本体を作成する。図４のように表表紙部・背部・裏表紙部と見開き用に折り目が入れてある剥離紙付き表紙に前記絵本本体を貼り合わせ図１のように絵本を完成する。図５のように絵本を開いた時、あらかじめ設けた折り目があるため見栄えよく開く。
【図面の簡単な説明】
【００１０】
【図１】本考案に係る実施例により制作する貼り合わせ前の絵本の斜視図である。
【図２】本考案に係る実施例の剥離紙付き粘着材を塗布した２つ折りした画用紙の斜視図である。
【図３】本考案に係る実施例の画用紙を複数枚並べ貼り合わせた絵本本体の斜視図である。
【図４】本考案に係る実施例の折り目を入れた表紙の斜視図である。
【図５】本考案に係る実施例により制作した絵本を中央で開いた状態の平面図である
【符号の説明】
【００１１】１剥離紙
２粘着材塗布面
３表表紙見開き用折り目
４裏表紙見開き用折り目
５表表紙
６背表紙
７裏表紙
８絵本本体
【図１】
0003102643.tif 000003
【図２】
0003102643.tif 000004
【図３】
0003102643.tif 000005
【図４】
0003102643.tif 000006
【図５】
0003102643.tif 000007
(57)【要約】【課題】  タッチタイピングの出来ない初心者が、ローマ字入力方式で日本語を入力する場合のキー操作を快適にするものである。【解決手段】  母音となる５個の文字キーにくぼみを付ける。【選択図】  図１
0003102646.tif 000002
【実用新案登録請求の範囲】
【請求項１】
母音となる特定の５個の文字キーにくぼみを付けたパソコンのキーボード
【考案の詳細な説明】
【考案の詳細な説明】
【技術分野】
【０００１】  本考案は、くぼみ付きキーを有するパソコンのキーボードに関するものである。
【背景技術】
【０００２】  ＦとＪの文字キーに突起を設けているだけであった。
【考案が解決しようとする課題】
【０００３】  パソコン初心者がローマ字入力方式で日本語を入力する場合、他のキーに比べて押さえる回数が非常に多い母音となる５個の文字キーの位置を捜す負担の軽減及びタッチタイピングをマスターする負担の軽減。
【課題を解決するための手段】
【０００４】  本考案は、ローマ字入力方式により入力する場合の母音となる５個の文字キーにくぼみを付けることにより問題点を解決している。
【考案を実施するための最良の形態】
【０００５】  Ａ、Ｅ、Ｕ、Ｉ、Ｏの各キーの中心部にくぼみを付ける。くぼみは押さえた時に違和感のないよう角のないゆるやかなものにする。
【実施例】
【０００６】  添付図面の通り。
【考案の効果】
【０００７】  初心者にとってキーボード操作が楽になる。また、ホームポジションと併用することにより、タッチタイピングが初心者にも容易になる。
【図面の簡単な説明】
【図１】本考案のくぼみ付キーのあるキーボードの実施例を示す正面図である。
【符号の説明】
１  くぼみを付けた母音Ａのキー
２  くぼみを付けた母音Ｅのキー
３  くぼみを付けた母音Ｕのキー
４  くぼみを付けた母音Ｉのキー
５  くぼみを付けた母音Ｏのキー
【図１】
0003102646.tif 000003